(57)【要約】【課  題】腰や背中などを自分で指圧することができる健康器具を提供する。【解決手段】健康器具（１）は、円柱状の本体（６）を具備する回転体（２）と、この回転体の本体の外周面に設けられた指圧部（９）と、前記回転体を回転可能に支持する支持台（３）とを備えている。【選択図】  図１
2004261405.tif 000002
【特許請求の範囲】
【請求項１】
円柱状の本体を具備する回転体と、
この回転体の本体の外周面に設けられた指圧部と、
前記回転体を回転可能に支持する支持台とを備えていることを特徴とする健康器具。
【請求項２】
前記回転体の本体の両端部から各々回転軸が突出し、
前記支持台には、前記回転体の回転軸が嵌まる二股状の脚部を具備する支持部が、脚部を上方に向けて設けられていることを特徴とする請求項１記載の健康器具。
【請求項３】
前記二股状の脚部間に掛け渡される支持ロッドが着脱可能にかつ上下位置を調整可能に設けられ、
この支持ロッド上に、前記回転体の回転軸が載ることを特徴とする請求項２記載の健康器具。
【発明の詳細な説明】
【０００１】
【発明の属する技術分野】
本発明は、腰痛などを直すための健康器具に関する。
【０００２】
【従来の技術】
従来、腰痛などを直す際には、指圧などを行っていた。
【０００３】
【発明が解決しようとする課題】
ところで、腰痛などになった際に、指圧などで直そうと思うと、他人に指圧を行ってもらう必要があり、自分では指圧することができなかった。
【０００４】
本発明は、以上のような課題を解決するためのもので、腰や背中などを自分で指圧することができる健康器具を提供することを目的とする。
【０００５】
【課題を解決するための手段】
本発明の健康器具（１）は、円柱状の本体（６）を具備する回転体（２）と、この回転体の本体の外周面に設けられた指圧部（９）と、前記回転体を回転可能に支持する支持台（３）とを備えている。
【０００６】
また、前記回転体の本体の両端部から各々回転軸（１１）が突出し、前記支持台には、前記回転体の回転軸が嵌まる二股状の脚部（２１）を具備する支持部が、脚部を上方に向けて設けられていることがある。
【０００７】
さらに、前記二股状の脚部間に掛け渡される支持ロッド（２６）が着脱可能にかつ上下位置を調整可能に設けられ、この支持ロッド上に、前記回転体の回転軸が載ることがある。
【０００８】
【発明の実施の形態】
次に、本発明における健康器具の実施の一形態を図１ないし図４を用いて説明する。図１は本発明における実施の形態の健康器具を用いて腰痛などを直す際の説明図である。図２は本発明における実施の形態の健康器具の説明図で、（ａ）が健康器具の正面図、（ｂ）が支持台から取り外された回転体の正面図である。図３は本発明における実施の形態の健康器具の説明図で、（ａ）が健康器具の側面図、（ｂ）が支持台から取り外された回転体の側面図である。図４は本発明における実施の形態の健康器具の説明図で、（ａ）が高い位置で支持されている状態の健康器具の側面図、（ｂ）が低い位置で支持されている状態の健康器具の側面図である。
【０００９】
健康器具１は、円柱状の回転体２と、この回転体２を回転可能に支持する支持台３とを備えている。回転体２の本体６はプラスチックなどの剛性を有する材料で円柱状に形成されている。この回転体本体６の外周面の略全面には、ゴム製シート８が接着などにより取り付けられている。このシート８は弾性を有しているとともに、指圧部としての指圧用突起９が複数形成されている。指圧用突起９はシート８の外表面の略全面にわたり互いに間隔を開けて形成されている。また、回転体本体６の両端部から金属製の回転軸１１が回転体２の軸方向に外側に突出している。この様に回転体２は、回転体本体６、シート８、指圧用突起９および回転軸１１を具備している。
【００１０】
支持台３は、床３１などに載置される基台１６と、この基台１６の両端部に立設する支持部材としての支持板１７とを具備している。支持板１７の上部は、回転体２を支持する支持部であり、この支持部は二股状になっており、上方に延在する一対の脚部２１が形成されている。この様にして、支持板１７の支持部は、二股状の脚部２１を具備している。この一対の脚部２１は互いに間隔を有しており、この一対の脚部２１の間には、回転軸１１が嵌まり込む隙間が形成される。また、脚部２１には各々、貫通孔２２が上下に２個形成されている。この貫通孔２２は他方の脚部２１の貫通孔２２に対向する様に配置されている。そして、支持ロッド２６が、両脚部２１の貫通孔２２に挿入されて、脚部２１間に着脱可能に掛け渡される。支持ロッド２６を上側の貫通孔２２に挿通すると、支持ロッド２６の配置位置は高くなり、一方、支持ロッド２６を下側の貫通孔２２に挿通すると、支持ロッド２６の配置位置は低くなる。この様にして、支持ロッド２６の挿通される貫通孔２２を選択することにより、支持ロッド２６の配置位置を上下させることができる。
【００１１】
そして、回転体２の各回転軸１１が各々、支持台３の支持板１７の脚部２１の間の隙間に上側から嵌め込まれて回転可能に保持される。この様にして、回転体２が支持板１７の支持部間に掛け渡されて回転可能に支持される。そして、支持板１７間に支持された回転体２の本体６は、回転軸１１と一体となって回転可能である。また、支持ロッド２６の配置位置を上下に変位させることにより、回転体２の上下位置を調整することができる。すなわち、図４（ｂ）に図示するように、支持ロッド２６を取り付けないと、回転体２の回転軸１１は脚部２１の付根部で支持され、回転体２の配置位置は一番低くなる。また、支持ロッド２６を貫通孔２２に挿通して脚部２１間に掛け渡すと、回転体２の回転軸１１は支持ロッド２６上に載る。そのため、支持ロッド２６の配置位置を上下に変位させると、それにともなって、図３（ａ）および図４（ａ）に図示するように、回転体２の回転軸１１の支持位置が上下に変位する。
【００１２】
この様に構成されている健康器具１で、腰痛などを直す際には、図１に図示するように、健康器具１を床３１に設置し、その健康器具１の回転体２上に人３２が背中または腰を載せた状態で仰向けに寝ころがる。そして、人３２は、図１において左右方向に、仰向けの状態で回転体２を回転させながら矢印で図示するように往復動し、背中や腰を伸ばすとともに、指圧用突起９により指圧を行う。すると、腰痛などの症状が驚くほど改善する。また、人３２の背丈などにより、回転体２の高さを変更することが好ましいので、回転体２の高さを、前述のように支持ロッド２６の配置位置により調整する。
【００１３】
健康器具１の別の使用方法としては、健康器具１の回転体２を支持台３から上方に持ち上げて取り外し、回転体２を図２（ｂ）に図示するように直接、床３１に転がし、その上に人３２が背中または腰を載せた状態で仰向けに寝ころがることも可能である。そして、前述の健康器具１と同様にして、人３２は、仰向けの状態で回転体２を転がしながら往復動し、背中や腰を伸ばしながら、指圧用突起９により指圧を行う。
【００１４】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
【００１５】
（１）上記実施の形態では、脚部２１の貫通孔２２は上下に２個設けられているが、その個数は適宜変更可能である。すなわち、単数でもまた複数でも可能である。また、貫通孔２２を設けないことも可能である。
（２）健康器具の各部材を形成する材料は、適宜変更可能である。
【００１６】
（３）仰向けになって使用しているが、腹這いで使用することも可能である。
（４）腰痛、肩凝りや筋肉痛などの対策、疲労回復、血行不良の改善、健康維持、スポーツ前の準備運動、および、スポーツ後のクーリング運動などに使用することが可能である。
【００１７】
（５）上記実施の形態では、回転体２の本体６、シート８および回転軸１１は一体に回転するが、本体６を回転軸１１に対して回転可能に構成することも可能である。
（６）上記実施の形態では、指圧用突起９は回転体２の本体６と別体に成形されているが、指圧用突起９を回転体本体６と一体成形することも可能である。
（７）回転軸１１は回転体２の本体６と別体に成形することも可能であるし、また、回転体本体６と一体成形することも可能である。
【００１８】
（８）支持台３の構造（特に回転体の上下位置の調整構造など）は、特許請求の範囲に限定されていない限り、適宜変更可能である。
（９）上記実施の形態では、回転体２の径は、回転体２の軸線方向に同じであり変化していないが、変化させることも可能である。
（１０）指圧部（指圧用突起９）の形状は適宜変更可能である。さらに、指圧部（指圧用突起９）は回転体本体６の外周面に直接設けることも可能であるし、また、シート８などの他の部材を介して間接的に設けることも可能である。
【００１９】
【発明の効果】
本発明によれば、健康器具が、円柱状の本体を具備する回転体と、この回転体の本体の外周面に設けられた指圧部と、前記回転体を回転可能に支持する支持台とを備えているので、この健康器具に背中または腰を載せた状態で仰向けに寝ころがり、健康器具の回転体を回転させながら往復動して、自分で指圧を行うとともに、背中や腰を伸ばすことができる。その結果、腰痛などの症状を改善させることができる。
【００２０】
また、前記回転体の本体の両端部から各々回転軸が突出し、前記支持台には、前記回転体の回転軸の嵌まる二股状の脚部を具備する支持部が、脚部を上方に向けて設けられている場合には、回転体を上方に持ち上げることにより、簡単に支持台から取り外すことができる。したがって、回転体を床などに転がし、この回転体に背中または腰を載せた状態で仰向けに寝ころがり、回転体を転がしながら往復動して、自分で指圧を行うとともに、背中や腰を伸ばすことができる。その結果、回転体単体でも使用することができる。
【００２１】
さらに、前記二股状の脚部間に掛け渡される支持ロッドが着脱可能にかつ上下位置を調整可能に設けられ、この支持ロッド上に、前記回転体の回転軸を載せることができる場合には、回転体の上下位置を、使用する人の背丈などに応じて調整することができる。
【図面の簡単な説明】
【図１】図１は本発明における実施の形態の健康器具を用いて腰痛などを直す際の説明図である。
【図２】図２は本発明における実施の形態の健康器具の説明図で、（ａ）が健康器具の正面図、（ｂ）が支持台から取り外された回転体の正面図である。
【図３】図３は本発明における実施の形態の健康器具の説明図で、（ａ）が健康器具の側面図、（ｂ）が支持台から取り外された回転体の側面図である。
【図４】図４は本発明における実施の形態の健康器具の説明図で、（ａ）が高い位置で支持されている状態の健康器具の側面図、（ｂ）が低い位置で支持されている状態の健康器具の側面図である。
【符号の説明】
１  健康器具
２  回転体
３  支持台
６  回転体本体
９  指圧用突起（指圧部）
１１  回転軸
１７  支持板
２１  脚部
２６  支持ロッド
【図１】
2004261405.tif 000003
【図２】
2004261405.tif 000004
【図３】
2004261405.tif 000005
【図４】
2004261405.tif 000006